(57)【要約】【課題】  部品点数が少なく構造を簡単化でき、フレキシブルフラットケーブルを挿入し易い。フレキシブルフラットケーブルの端部をハウジングの奥部に保持することができて、ハウジングの中継端子とフレキシブルフラットケーブルの導体との接触不良が発生することを防ぐことができる。【解決手段】  断面略コ字形に形成されたハウジング４と、ハウジング４の開口部側から挿入されるフレキシブルフラットケーブル５と、フレキシブルフラットケーブル５の導体部６と接触して導通する接触用内向き突起３ｂ、３ｂを開口側上下位置に有すると共に、ハウジング４の奥部側から基板と接続される端子部３ａを有する、ハウジング４と一体に形成される断面略音叉状の中継端子３とを備え、ハウジング４の最奥部にはフレキシブルフラットケーブル５の端部を挟持する上下保持部７が設けられている。【選択図】  図１
2006147437.tif 000002
【特許請求の範囲】
【請求項１】
ディスクの読取り若しくはディスクへの書込みに応じて動作する光ピックアップユニットの基板に取付けられるコネクタ構造であって、断面略コ字状に形成された樹脂からなるハウジングと、前記ハウジングの開口側から挿入されるフレキシブルフラットケーブルと、前記フレキシブルフラットケーブルの導体部と接触して導通する接触用内向き突起を開口側上下位置に有すると共に、前記ハウジング奥部側から光ピックアップユニットの基板と接続される端子部を有する、前記ハウジングと一体に形成された断面略音叉状の中継端子と、を備え、前記ハウジングの前記接触用内向き突起より奥部に中空が形成されていると共に、最奥部には前記フレキシブルフラットケーブルの端部を挟持する上下保持部が設けられることで、前記フレキシブルフラットケーブルが前記接触用内向き突起と前記上下保持部との２点で支持されることを特徴とする光ピックアップにおけるコネクタ構造。
【請求項２】
断面略コ字形に形成されたハウジングと、前記ハウジングの開口部側から挿入されるフレキシブルフラットケーブルと、前記フレキシブルフラットケーブルの導体部と接触して導通する接触用内向き突起を開口側上下位置に有すると共に、前記ハウジング奥部側から基板と接続される端子部を有する、前記ハウジングと一体に形成される断面略音叉状の中継端子と、を備え、前記ハウジングの最奥部には前記フレキシブルフラットケーブルの端部を挟持する上下保持部が設けられていることを特徴とするコネクタ構造。
【請求項３】
前記ハウジングの前記接触用内向き突起より奥部に中空が形成されてなる請求項２に記載のコネクタ構造。
【請求項４】
前記上下保持部は、前記ハウジングから延設されてなる請求項２又は３に記載のコネクタ構造。
【請求項５】
前記上下保持部は、前記中継端子の奥部が屈曲されて形成される２乃至４のいずれかに記載のコネクタ構造。
【請求項６】
前記上下保持部におけるフレキシブルフラットケーブル挿入側端部に前記フレキシブルフラットケーブルの挿入をガイドするテーパー面が形成されてなる請求項２乃至５のいずれかに記載のコネクタ構造。
【発明の詳細な説明】
【技術分野】
【０００１】
本発明は、コネクタのハウジングの内側に、先端に接触用内向き突起が上下位置に設けられ後端は基板に端子部で接続される中継端子が設けられ、このハウジングにフレキシブルフラットケーブルが挿入されて、このフレキシブルフラットケーブルの導体部と中継端子の接触用内向き突起とが接触して導通するように構成された光ピックアップユニットにおけるコネクタ構造及びコネクタ構造に関するものである。
【背景技術】
【０００２】
一般に、この種の光ピックアップユニットにおけるコネクタ構造は、図７に示すように、光ピックアップユニット１０１に基板１０２を介してコネクタＣが取り付けられている。従来は、このコネクタＣのハウジング１０３の内側に設けられた中継端子１０４の先端の上下位置に接触用内向き突起１０５が設けられている。また、この中継端子１０４の端子部１０６が基板１０２に取り付けられている。更に、ハウジング１０３内にフレキシブルフラットケーブル１０７が挿入されその導体部１０８が中継端子１０４の接触用内向き突起１０５に接触して導通されるように構成されている。
【０００３】
ところが、図７に示すように、フレキシブルフラットケーブル１０７の端部側は固定されずにフリーな状態で挿入されているために、光ピックアップユニット１０１がディスクの内周、外周に向けて移動したときに、フレキシブルフラットケーブル１０７にかかるテンションのために上下に触れて中継端子１０４の接触用内向き突起１０５への接触不良が発生することがあるという問題があった。
【０００４】
第１の従来技術を図８に示す。この従来のコネクタは、図８に示すように、挿入凹部２０２を有するハウジング２０１で端子２０４を保持している。端子２０４に設けた第１操作片２０６及び第２操作片２０７に接触部２０６ａ、２０７ａを設け、第２操作片２０７の先端に操作片２０９を連設する。ハウジング２０１の挿入凹部２０２に抜き差しされるスライダ２１１に操作片２０９を弾性変形させる傾斜面２１７を設ける。スライダ２１１の引き抜きにより、傾斜面２１７で操作片２０９を押圧し、その操作片２０９の弾性変形により一対の接触部２０６ａ、２０７ａ間を導電性部材Ａの厚み以上に開放させる。その接触部２０６ａ、２０７ａ間に導電性部材Ａの端末部を挿入し、スライダ２１１の押し込みにより操作片２０９の押圧を解除して、一対の接触部２０６ａ、２０７ａで導電性部材Ａの端末部を弾力的に挟持する。（例えば、特許文献２参照）。
【０００５】
ところが、これにおいては、導電性部材Ａを押し込むためのガイド面２１０と誘導面２１３との隙間が細くて曲がっているために、導電性部材Ａを挿入し難いという欠点があった。
【０００６】
第２の従来技術を図９（ａ）（ｂ）に示す。この従来のフラットケーブルの端末接続部は、図９（ａ）に示すように、中継端子３０１にフラットケーブル３０３の導体部３０３ａとタブ端子３０４の圧接部３０４ａとが中継端子３０１の接触部３０１ｃ、３０１ｃとの間に挿入される。これとともにタブ端子３０４の圧接部３０４ａも挿入される。そして、図９（ｂ）に示すように、タブ端子３０４を垂直向きになるまで旋回し、弾性アーム３０１ｂ、３０１ｂの弾性力によって中継端子３０１を保持させる。（例えば、特許文献２参照）。
【０００７】
ところが、これにおいては、タブ端子３０４を必要とするために部品点数が多くて構造が複雑になるという欠点があった。
【０００８】
第３の従来技術を図１０（ａ）（ｂ）に示す。この従来のフレキシブルプリント板用接続器は、図１０（ａ）（ｂ）に示すように、接触子４１４と凹部４１６をもつブロック４１１と、接触子４２２と突起４２３をもつブロック４２１とを備え、ブロック４１１とブロック４２１を接触させたとき接触子４１４が接触子４２２と突起４２３の中間になるように配置し、フレキシブルプリント板４０５を凹部４１６に挿入し、ブロック４１１とブロック４２１でフレキシブルプリント板４０５を屈曲させて固定させるものである。（例えば、特許文献３参照）。
【０００９】
ところが、これにおいては、ブロック４１１とブロック４２１とを組み付けなければならないために手間がかかり、面倒であるという欠点があった。
【００１０】
第４の従来技術を図１１（ａ）（ｂ）（ｃ）（ｄ）に示す。この従来のフラットケーブル用コネクタは、図１１（ａ）（ｂ）（ｃ）（ｄ）に示すように、第１３アーム５３３と第２３アーム５３４間に挿入されたフラットケーブル５５０の端部とスライダ５４０の舌片５４２を押し込んで、接点５３５とフラットケーブル５５０の導体部間に接圧を付与すると共に係合突起５３６のラッチ係合によりスライダ５４０を絶縁ハウジング５２０にコンタクト５３０を介して固定するものである。（例えば、特許文献４参照）。
【００１１】
ところが、これにおいては、フラットケーブル５５０を挿入し難く、また構造が複雑であるという欠点があった。
【特許文献１】特開平７−１９２８２２号公報
【特許文献２】特開平７−２９６９１１号公報
【特許文献３】実開昭５９−１３４３８７号公報
【特許文献４】特開平１０−２２００９号公報
【発明の開示】
【発明が解決しようとする課題】
【００１２】
本発明は、上記従来の問題に鑑みてなされたものであって、部品点数が少なく構造が簡単であり、しかもフレキシブルフラットケーブルを挿入し易く、かつフレキシブルフラットケーブルの端部をコネクタの奥部に保持することができて、コネクタの中継端子とフレキシブルフラットケーブルの導体部との接触不良が発生することを防ぐことができる光ピックアップユニットにおけるコネクタ構造及びコネクタ構造を提供することを目的としている。
【課題を解決するための手段】
【００１３】
本発明は、上記課題を解決するために提案されたものであって、請求項１に記載の発明は、ディスクの読取り若しくはディスクへの書込みに応じて動作する光ピックアップユニットの基板に取付けられるコネクタ構造であって、断面略コ字状に形成された樹脂からなるハウジングと、前記ハウジングの開口側から挿入されるフレキシブルフラットケーブルと、前記フレキシブルフラットケーブルの導体部と接触して導通する接触用内向き突起を開口側上下位置に有すると共に、前記ハウジング奥部側から光ピックアップユニットの基板と接続される端子部を有する、前記ハウジングと一体に形成された断面略音叉状の中継端子と、を備え、前記ハウジングの前記接触用内向き突起より奥部に中空が形成されていると共に、最奥部には前記フレキシブルフラットケーブルの端部を挟持する上下保持部が設けられることで、前記フレキシブルフラットケーブルが前記接触用内向き突起と前記上下保持部との２点で支持されることを特徴としている。
【００１４】
請求項２に記載の発明は、断面略コ字形に形成されたハウジングと、前記ハウジングの開口部側から挿入されるフレキシブルフラットケーブルと、前記フレキシブルフラットケーブルの導体部と接触して導通する接触用内向き突起を開口側上下位置に有すると共に、前記ハウジング奥部側から基板と接続される端子部を有する、前記ハウジングと一体に形成される断面略音叉状の中継端子と、を備え、前記ハウジングの最奥部には前記フレキシブルフラットケーブルの端部を挟持する上下保持部が設けられていることを特徴としている。
【００１５】
請求項３に記載の発明は、前記ハウジングの前記接触用内向き突起より奥部に中空が形成されてなるものである。
【００１６】
請求項４に記載の発明は、前記上下保持部が、前記ハウジングから延設されてなるものである。
【００１７】
請求項５に記載の発明は、前記上下保持部が、前記中継端子の奥部が屈曲されて形成されるものである。
【００１８】
請求項６に記載の発明は、前記上下保持部におけるフレキシブルフラットケーブル挿入側端部に前記フレキシブルフラットケーブルの挿入をガイドするテーパー面が形成されてなるものである。
【発明の効果】
【００１９】
請求項１に記載の発明によれば、フレキシブルフラットケーブルをハウジングに挿入したときに、ハウジングの最奥部の上下保持部に、このフレキシブルフラットケーブルが２点で保持される。これにより、光ピックアップユニットを内周、外周に移動したときに、フレキシブルフラットケーブルにテンションがかかってもフレキシブルフラットケーブルがハウジングの内部で上下に振れることがない。従って、中継端子の接触用内向き突起とフレキシブルフラットケーブルの導体部との接触不良が発生することを防ぐことができる。また、ハウジングの接触用内向き突起より奥部に中空が形成されているので、フレキシブルフラットケーブルのハウジング内への挿入が行い易い。更に、部品点数が少なく構造を簡単化できる。
【００２０】
請求項２に記載の発明によれば、フレキシブルフラットケーブルをハウジング内に挿入したときに、ハウジングの最奥部の上下保持部に、このフレキシブルフラットケーブルの端部が保持される。これにより、フレキシブルフラットケーブルがハウジングの内部で上下に振れることがない。従って、コネクタの中継端子の接触用内向き突起とフレキシブルフラットケーブルの導体部との接触不良が発生することを防ぐことができる。更に、部品点数が少なく構造を簡単化できる。
【００２１】
請求項３に記載の発明によれば、ハウジングの接触用内向き突起より奥部に中空が形成されているので、このハウジング内へのフレキシブルフラットケーブルの挿入が行い易い。
【００２２】
請求項４に記載の発明によれば、上下保持部がハウジングから延設されているので、この上下保持部をハウジングと一体成形で形成することができる。
【００２３】
請求項５に記載の発明によれば、上下保持部が、中継端子の奥部を屈曲して形成されているので、中継端子を屈曲することにより簡単にこの上下保持部を形成することができる。
【００２４】
請求項６に記載の発明によれば、テーパー面によって、フレキシブルフラットケーブルの端部を上下保持部にスムーズにガイドして挿入することができる。
【発明を実施するための最良の形態】
【００２５】
以下、本発明に係る光ピックアップユニットにおけるコネクタ構造及びコネクタ構造の実施の形態について、図を参照しつつ説明する。
【００２６】
図１は本発明の第１実施形態の光ピックアップユニットにおけるコネクタ構造の概略正面断面図、図２は同構造の概略平面図、図３は同構造の要部の拡大正面断面図である。
【００２７】
この第１実施形態の光ピックアップユニットのコネクタ構造は、図１（ａ）（ｂ）に示すように、光ピックアップユニット１の側面に基板２が取り付けられており、この基板２にコネクタＣにおける断面略音叉状の中継端子３の端子部３ａが取り付けられ、この中継端子３がハウジング４の内部に設けられている。このハウジング４は断面略コ字形となっている。中継端子３はハウジング４の上下内面に沿うように設けられており、その端部に接触用内向き突起３ｂ、３ｂが形成されている。また、ハウジング４の接触用内向き突起３ｂ、３ｂより奥部に中空４ａが形成されている。このハウジング４の内部には、フレキシブルフラットケーブル５が挿入されるようになっていて、その導体部６が中継端子３の接触用内向き突起３ｂに接触して導通するように構成されている。また、図３にも示すように、ハウジング４の最奥部に、ハウジング４から延設されてフレキシブルフラットケーブル５の端部を保持するための上下保持部７が設けられている。
【００２８】
従って、この第１実施形態によれば、フレキシブルフラットケーブル５をコネクタＣのハウジング４に挿入したときに、ハウジング４の最奥部の上下保持部７と接触用内向き突起３ｂ、３ｂとで、このフレキシブルフラットケーブル５の端部が２点で支持される。これにより、光ピックアップユニット１を内周、外周に移動したときに、フレキシブルフラットケーブル５にテンションがかかってもフレキシブルフラットケーブル５がハウジング４の内部で上下に振れることがない。従って、中継端子３の接触用内向き突起３ｂ、３ｂとフレキシブルフラットケーブル５の導体部６との接触不良が発生することを防ぐことができる。また、ハウジング４の接触用内向き突起３ｂ、３ｂより奥部に中空４ａが形成されているので、ハウジング４内へのフレキシブルフラットケーブル５の挿入が行い易い。しかも、部品点数が少なく構造を簡単化できる。
【００２９】
図４は第２実施形態の光ピックアップユニットにおけるコネクタ構造の概略正面断面図である。尚、上記した第１実施形態と同一部材同一箇所には、同一符号を付してその説明を省略する。
【００３０】
この第２実施形態の光ピックアップユニットにおけるコネクタ構造は、図４に示すように、中継端子３の奥部が屈曲されて形成された上下保持部７Ａが設けられている。
【００３１】
従って、この第２実施形態では、上下保持部７Ａが、中継端子３の奥部を屈曲して形成されているので、中継端子３を屈曲することにより簡単にこの上下保持部７Ａを形成することができる。また、光ピックアップユニット１を内周、外周に移動したときに、フレキシブルフラットケーブル５にテンションがかかってもフレキシブルフラットケーブル５がコネクタ４の内部で上下に振れることがない。従って、コネクタ４の中継端子３の接触用内向き突起３ｂ、３ｂとフレキシブルフラットケーブル５の導体部６との接触不良が発生することを防ぐことができる。
【００３２】
図５は第３実施形態の光ピックアップユニットにおけるコネクタ構造の概略正面断面図である。尚、上記した第１実施形態と同一部材、同一箇所には同一符号を付して説明する。
【００３３】
この第３実施形態の光ピックアップユニットにおけるコネクタ構造は、上記した第１実施形態のコネクタ構造において、ハウジング４から延設された上下保持部７におけるケーブル挿入側端部の上下に、フレキシブルフラットケーブル５の挿入をガイドするテーパー面７ａ、７ａが形成されている。
【００３４】
従って、この第３実施形態によれば、テーパー面７ａ、７ａによって、フレキシブルフラットケーブル５の端部を上下保持部７にスムーズにガイドして挿入することができる。      
【００３５】
図６は第４実施形態の光ピックアップユニットにおけるコネクタ構造の概略正面断面図である。尚、上記した第１実施形態と同一部材、同一箇所には、同一符号を付してその説明を省略する。
【００３６】
この第４実施形態の光ピックアップユニットにおけるコネクタ構造は、上記した第２実施形態のコネクタ構造において、上下保持部７Ａにおけるケーブル挿入側端部の上下に、フレキシブルフラットケーブル５の挿入をガイドするために、中継端子３の奥部が屈曲されて形成されたテーパー面７ｂ、７ｂが設けられている。
【００３７】
従って、この第４実施形態によれば、中継端子３の奥部を屈曲して形成した上下保持部７Ａのテーパー面７ｂ、７ｂに沿ってフレキシブルフラットケーブル５の端部を上下保持部７Ａにスムーズにガイドして挿入することができる。
【００３８】
尚、上記各実施形態においては、光ピックアップユニットのコネクタ構造について説明したが、本発明はこれに限らず、他の電気機器のコネクタ構造にも適用できることは勿論である。
【図面の簡単な説明】
【００３９】
【図１】本発明の第１実施形態の光ピックアップユニットにおけるコネクタ構造の概略正面断面図である。
【図２】同構造の概略平面図である。
【図３】同構造の要部の拡大正面断面図である。
【図４】第２実施形態の光ピックアップユニットにおけるコネクタ構造の概略正面断面図である。
【図５】第３実施形態の光ピックアップユニットにおけるコネクタ構造の概略正面断面図である。
【図６】第４実施形態の光ピックアップユニットにおけるコネクタ構造の概略正面断面図である。
【図７】従来の光ピックアップユニットにおけるコネクタ構造の概略正面断面図である。
【図８】従来のコネクタの縦断面図である。
【図９】従来のフラットケーブルの端末接続部を示し、（ａ）は中継端子にフラットケーブルの導体部とタブ端子の圧接部を挿入したときの状態を示す縦断面図、（ｂ）は（ａ）の状態からタブ端子を垂直向きにした状態の縦断面図である。
【図１０】従来のフレキシブルプリント板用接続器を示し、（ａ）はその組み付け後の縦断面図、（ｂ）はその組み付け前の分解縦断面図である。
【図１１】従来のフラットケーブル用コネクタにフラットケーブルを接続する各工程を示し、（ａ）は第１工程の縦断面図、（ｂ）は第２工程の縦断面図、（ｃ）は第３工程の縦断面図、（ｃ）は第４工程で接続完了時の縦断面図である。
【符号の説明】
【００４０】
Ｃ        コネクタ
１        光ピックアップユニット
２        基板
３        中継端子
３ａ      端子部
３ｂ      接触用内向き突起
４        ハウジング
４ａ      中空
５        フレキシブルフラットケーブル
６        導体部
７        上下保持部
７Ａ      上下保持部
７ａ      テーパー面
７ｂ      テーパー面
【図２】
2006147437.tif 000003
【図５】
2006147437.tif 000004
【図６】
2006147437.tif 000005
【図１０】
2006147437.tif 000006
【図１】
2006147437.tif 000007
【図３】
2006147437.tif 000008
【図４】
2006147437.tif 000009
【図７】
2006147437.tif 000010
【図８】
2006147437.tif 000011
【図９】
2006147437.tif 000012
【図１１】
2006147437.tif 000013